(57)【要約】      （修正有）【課題】簡単に展開、収納できる折り畳み式テントの提供。【解決手段】フレーム１と該フレーム外部を被覆するカバー２で組成され、該フレームが伸縮可能な複数の横棒１１、着脱可能な複数の縦棒１２、及び折り曲げ可能な複数の支持棒１３で構成され、使用時の展開が容易で収納時の折り畳みも容易である。【選択図】図２
0003109547.tif 000002
【実用新案登録請求の範囲】
【請求項１】
フレームとカバーを具え、
該フレームは、複数の伸縮可能な複数の横棒、着脱可能な複数の縦棒、及び折り曲げ可能な複数の支持棒で構成され、各横棒の一端は連結シートに設置され、各横棒の別端に軸座が設置され、各縦棒の一端は該軸座に設置され、各縦棒の別端は相互に接続され、並びに各支持棒の二端は軸座の二側に設置され、該連結シートに下向きの外力を加えることで、連結シートの横棒が内管と嵌め管間の弾性部品により収縮し、
該カバーは、上述のフレームの外部を被覆し、該カバーに出入口と複数の開口が設けられたことを特徴とする、折り畳み式テント。
【請求項２】
請求項１記載の折り畳み式テントにおいて、横棒が内管と嵌め管で構成され、且つ該内管と嵌め管の間に弾性部品が介装されたことを特徴とする、折り畳み式テント。
【請求項３】
請求項１記載の折り畳み式テントにおいて、縦棒の別端が固定部品で相互に接続されたことを特徴とする、折り畳み式テント。
【請求項４】
請求項１記載の折り畳み式テントにおいて、縦棒が二つの管体で構成され、該二つの管体が接続部で接続され、且つ二つの管体間に弾性部品が設置されたことを特徴とする、折り畳み式テント。
【請求項５】
請求項１記載の折り畳み式テントにおいて、支持棒が二つのロッドで構成され、該二つのロッドが連接部で接続されたことを特徴とする、折り畳み式テント。
【請求項６】
請求項５記載の折り畳み式テントにおいて、二つのロッドがピンで回動自在に連接部に接続されたことを特徴とする、折り畳み式テント。
【請求項７】
請求項１記載の折り畳み式テントにおいて、連結シートに一つ以上のリブが凸設され、横棒の一端にピンが組み合わされて回動自在に該リブに接続されたことを特徴とする、折り畳み式テント。
【請求項８】
請求項１記載の折り畳み式テントにおいて、軸座と各横棒、縦棒、及び支持棒がピンで相互に回動自在に接続されたことを特徴とする、折り畳み式テント。
【請求項９】
請求項１記載の折り畳み式テントにおいて、カバーが複数の固定部でフレームに固定されたことを特徴とする、折り畳み式テント。
【請求項１０】
請求項１記載の折り畳み式テントにおいて、カバーの出入口の周囲にスライドファスナー部が設けられたことを特徴とする、折り畳み式テント。
【請求項１１】
請求項１記載の折り畳み式テントにおいて、カバーの複数の開口部分にネットが設置され、且つ該開口の一面に該開口を被覆可能な遮蔽部が設けられ、該開口と該遮蔽部の周囲がスライドファスナー部で接続可能とされたことを特徴とする、折り畳み式テント。
【考案の詳細な説明】
【技術分野】
【０００１】
本考案は折り畳み式テントに係り、特にテントを使用時に容易に展開することができ、収納時に容易に折り畳める折り畳み式テントに関する。
【背景技術】
【０００２】
周知のテントは図１３に示されるように、カバー３、カバー３の二端の開口部分に設置された縦棒４、及び二つの縦棒４の間に設置された横棒５で構成され、並びにカバー３の外部の各角部のロープ６で地面に固定された杭７に結びつけられて、テントが形成される。
【０００３】
上述の周知のテントは、カバー３、二つの縦棒４、横棒５、ロープ６及び杭７が組み合わされてなる。しかし該カバー３、二つの縦棒４、横棒５、ロープ６及び杭７を組み合わせる時には一々接続しなければならず、分解時にも一々分離しなければならない。このため、使用時の組立、収納時の分解の手続きが複雑で、且つ収納時に場所をとり、且つ周知のテントの組立時には複数の人が協力して行なわなければしっかりとテントを組み立てることができず、一人で完成することはできない。ゆえに、このような周知のテントは実際の使用時には使用者の必要に符合しない。
【考案の開示】
【考案が解決しようとする課題】
【０００４】
本考案の主要な目的は、テントに簡単に展開して使用できる機能を達成させることにある。
【０００５】
本考案の主要な目的は、テントに簡単に支持でき折り畳んで収納できる機能を達成させることにある。
【課題を解決するための手段】
【０００６】
請求項１の考案は、フレームとカバーを具え、
該フレームは、複数の伸縮可能な複数の横棒、着脱可能な複数の縦棒、及び折り曲げ可能な複数の支持棒で構成され、各横棒の一端は連結シートに設置され、各横棒の別端に軸座が設置され、各縦棒の一端は該軸座に設置され、各縦棒の別端は相互に接続され、並びに各支持棒の二端は軸座の二側に設置され、該連結シートに下向きの外力を加えることで、連結シートの横棒が内管と嵌め管間の弾性部品により収縮し、
該カバーは、上述のフレームの外部を被覆し、該カバーに出入口と複数の開口が設けられたことを特徴とする、折り畳み式テントとしている。
請求項２の考案は、請求項１記載の折り畳み式テントにおいて、横棒が内管と嵌め管で構成され、且つ該内管と嵌め管の間に弾性部品が介装されたことを特徴とする、折り畳み式テントとしている。
請求項３の考案は、請求項１記載の折り畳み式テントにおいて、縦棒の別端が固定部品で相互に接続されたことを特徴とする、折り畳み式テントとしている。
請求項４の考案は、請求項１記載の折り畳み式テントにおいて、縦棒が二つの管体で構成され、該二つの管体が接続部で接続され、且つ二つの管体間に弾性部品が設置されたことを特徴とする、折り畳み式テントとしている。
請求項５の考案は、請求項１記載の折り畳み式テントにおいて、支持棒が二つのロッドで構成され、該二つのロッドが連接部で接続されたことを特徴とする、折り畳み式テントとしている。
請求項６の考案は、請求項５記載の折り畳み式テントにおいて、二つのロッドがピンで回動自在に連接部に接続されたことを特徴とする、折り畳み式テントとしている。
請求項７の考案は、請求項１記載の折り畳み式テントにおいて、連結シートに一つ以上のリブが凸設され、横棒の一端にピンが組み合わされて回動自在に該リブに接続されたことを特徴とする、折り畳み式テントとしている。
請求項８の考案は、請求項１記載の折り畳み式テントにおいて、軸座と各横棒、縦棒、及び支持棒がピンで相互に回動自在に接続されたことを特徴とする、折り畳み式テントとしている。
請求項９の考案は、請求項１記載の折り畳み式テントにおいて、カバーが複数の固定部でフレームに固定されたことを特徴とする、折り畳み式テントとしている。
請求項１０の考案は、請求項１記載の折り畳み式テントにおいて、カバーの出入口の周囲にスライドファスナー部が設けられたことを特徴とする、折り畳み式テントとしている。
請求項１１の考案は、請求項１記載の折り畳み式テントにおいて、カバーの複数の開口部分にネットが設置され、且つ該開口の一面に該開口を被覆可能な遮蔽部が設けられ、該開口と該遮蔽部の周囲がスライドファスナー部で接続可能とされたことを特徴とする、折り畳み式テントとしている。
【考案の効果】
【０００７】
本考案の折り畳み式テントは、フレームと該フレーム外部を被覆するカバーで組成され、該フレームが伸縮可能な複数の横棒、着脱可能な複数の縦棒、及び折り曲げ可能な複数の支持棒で構成され、使用時の展開が容易で収納時の折り畳みも容易である。
【考案を実施するための最良の形態】
【０００８】
本考案は一種の折り畳み式テントを提供し、それはフレームと該フレーム外部を被覆するカバーで組成されている。該フレームは伸縮可能な複数の横棒、着脱可能な複数の縦棒、及び折り曲げ可能な複数の支持棒で構成され、各横棒の一端は連結シートに設置され、且つ各横棒の別端に軸座が設置され、各縦棒の一端は該軸座に設置され、各縦棒の別端は相互に接続され、並びに各支持棒の二端は軸座の二側に設置されている。該カバーは上述のフレーム外部を被覆する。こうして、本考案のテントは展開使用が容易で折り畳み収納が容易であるものとされている。
【実施例１】
【０００９】
図１から８は、本考案の立体図、立体分解図、フレームの表示図、縦棒の局部拡大図、二つの縦棒の接続状態表示図、支持棒の局部拡大図、連結シートの局部拡大図、軸座の局部拡大図である。これらの図に示されるように、本考案の折り畳み式テントは、フレーム１と該フレーム１外部を被覆するカバー２で構成されて、展開使用及び折り畳み収納の容易さを達成する。
【００１０】
上述のフレーム１は伸縮可能な複数の横棒１１、着脱可能な複数の縦棒１２、及び折り曲げ可能な複数の支持棒１３で構成され、各横棒１１は内管１１１と嵌め管１１２で構成され、且つ内管１１１及び嵌め管１１２の間に弾性部品１１３が介装されている。該縦棒１２は二つの管体１２１、１２２で構成され、且つ該二つの管体１２１、１２２はそれぞれ接続部１２３、１２４で接続され、且つ二つの管体１２１、１２２の間に弾性部品１２５が設置されている。該支持棒１３は二つのロッド１３１、１３２で構成され、且つ該二つのロッド１３１、１３２は連接部１３３で接続され、該二つのロッド１３１、１３２はピン１３４で連接部１３３に回動自在に接続されている。且つそのうち、各横棒１１の一端は連結シート１４に設置され、該連結シート１４に一つ以上のリブ１４１があり、該横棒１１の一端にピン１４２が組み合わされて回動自在に該リブ１４１に接続され、且つ各横棒１１の別端に軸座１５が設置され、各縦棒１２の一端が該軸座１５に設置されている。各縦棒の別端は相互に接続され、並びに各支持棒１３の二端が軸座１５の二側に設置されている。該軸座１５と各横棒１１、縦棒１２及び支持棒１３はピン１５１で相互に回動自在に接続されている。
【００１１】
該カバー２は上述のフレーム１外部を被覆する。該カバー２は複数の固定部２１でフレーム１に固定され、且つ該カバー２に出入口２２及び複数の開口２３が設けられ、該カバー２の出入口２２の周囲にスライドファスナー部２２１が設けられて使用者がテントに出入りする際の出入口２２の開放と閉合が行なえる。該カバー２の複数の開口２３部分にはネット２４が設置され、且つ開口２３の一面を被覆可能な遮蔽部２５が設けられ、該開口２３と遮蔽部２５の周囲はスライドファスナー部２３１で接続され、該開口２３が遮蔽部２５により開閉可能とされている。以上の構造により新たな折り畳み式テントが構成されている。
【００１２】
図９、１０は本考案の展開状態表示図である。図示されるように、本考案の展開使用時には（もとは折り畳み状）、使用者は連結シート１４に対して上向きの外力を施し、連結シート１４上の横棒１１を内管１１１と嵌め管１１２間の弾性部品１１３により引き伸ばして固定し、横棒１１の引き伸ばし固定により、横棒１１の別端の軸座１５を外向きに所定位置まで押動させる。この時、各軸座１５上の各支持棒１３は連接部１３３により折り曲げ状から平らに引っ張られ、また縦棒１２の一つの管体１２１を駆動して所定位置とし、その後、縦棒１２の二つの管体１２１、１２２の接続部１２３、１２４が接続され、これにより、テントの展開使用が容易な機能が達成される。
【００１３】
図１１、１２は本考案の折り畳み状態表示図である。図示されるように、本考案の折り畳み時には、使用者は連結シート１４に下向きの外力を加え、連結シート１４の横棒１１を内管１１１と嵌め管１１２の間の弾性部品１１３により収縮させ、横棒１１の収縮により、横棒１１の別端の軸座１５を所定の位置に引き戻す。この時、各軸座１５上の各支持棒１３は連接部１３３により平直状から折り曲げられ、この時、更に縦棒１２の二つの管体１２１、１２２の接続部１２３、１２４を分離すれば、テントを容易に折り畳んで収納することができる。
【００１４】
以上は本考案の好ましい実施例の説明であって本考案の実施範囲を限定するものではなく、本考案に基づきなしうる細部の修飾或いは改変は、いずれも本考案の請求範囲に属するものとする。
【図面の簡単な説明】
【００１５】
【図１】本考案の立体図である。
【図２】本考案の立体分解図である。
【図３】本考案のフレームの表示図である。
【図４】本考案の縦棒の局部拡大図である。
【図５】本考案の二つの縦棒の接続状態表示図である。
【図６】本考案の支持棒の局部拡大図である。
【図７】本考案の連結シートの局部拡大図である。
【図８】本考案の軸座の局部拡大図である。
【図９】本考案の展開状態表示図である。
【図１０】本考案の展開状態表示図である。
【図１１】本考案の折り畳み状態表示図である。
【図１２】本考案の折り畳み状態表示図である。
【図１３】周知のテントの立体外観図である。
【符号の説明】
【００１６】
１  フレーム
１１  横棒
１１１  内管
１１２  嵌め管
１１３  弾性部品
１２  縦棒
１２１、１２２  管体
１２３、１２４  接続部
１２５  弾性部品
１３  支持棒
１３１、１３２  ロッド
１３３  連接部
１３４  ピン
１４  連結シート
１４１  リブ、１４２  ピン
１５  軸座
１５１  ピン
１６  固定部品
２  カバー
２１  固定部
２２  出入口
２２１  スライドファスナー部
２３  開口
２３１  スライドファスナー部
２４  ネット
２５  遮蔽部
３  カバー
４  縦棒
５  横棒
６  ロープ
７  杭
【図１】
0003109547.tif 000003
【図２】
0003109547.tif 000004
【図３】
0003109547.tif 000005
【図４】
0003109547.tif 000006
【図５】
0003109547.tif 000007
【図６】
0003109547.tif 000008
【図７】
0003109547.tif 000009
【図８】
0003109547.tif 000010
【図９】
0003109547.tif 000011
【図１０】
0003109547.tif 000012
【図１１】
0003109547.tif 000013
【図１２】
0003109547.tif 000014
【図１３】
0003109547.tif 000015